(57)【要約】【課題】  仕掛けの巻上げ過ぎがあった場合にも、穂先竿の損傷を抑制しながら、トップガイドの姿勢を安定なものとすることのできる釣り竿を提供する点にある。【解決手段】  トップガイド１を穂先竿２に、その穂先竿２の軸線に沿った方向にスライド移動自在に装着し、トップガイド１を、釣糸をガイドする作用位置に維持させるとともに、トップガイド１が作用位置に維持する保持力より大きな荷重を受けた場合に竿元側に移動退避させることを許容するＯリング３を、穂先竿２の外周面とトップガイド１の内周面とに亘って形成する。トップガイド１を作用位置に位置させた状態で、そのトップガイド１の糸挿通孔1Ｃを穂先竿２の竿軸線に沿った方向で竿先端に一致する位置又は竿先端の近傍位置に設けてある。【選択図】        図１
2007289104.tif 000002
【特許請求の範囲】
【請求項１】
トップガイドを穂先竿に、その穂先竿の軸線に沿った方向にスライド移動自在に装着し、前記トップガイドを、釣糸をガイドする作用位置に維持させるとともに、前記トップガイドが前記作用位置に維持する保持力より大きな荷重を受けた場合に竿元側に移動退避させることを許容する位置決め機構を、前記穂先竿の外周面と前記トップガイドの内周面とに亘って形成し、前記トップガイドを作用位置に位置させた状態で、そのトップガイドの糸挿通孔を前記穂先竿の竿軸線に沿った方向で竿先端に一致する位置又は竿先端の近傍位置に設けてある釣り竿。
【請求項２】
前記位置決め機構が、前記トップガイドの内周面又は前記穂先竿の外周面に形成した環状溝に装着したＯリングである請求項1記載の釣り竿。
【請求項３】
前記位置決め機構が、前記トップガイドの内周面又は前記穂先竿の外周面に形成され、相手側となる前記穂先竿の外周面又は前記トップガイドの内周面に圧接する突部である請求項1記載の釣り竿。
【請求項４】
前記位置決め機構が、前記トップガイドの内周面と前記穂先竿の外周面との間に介在され前記トップガイドを前記作用位置に付勢する付勢手段と、前記トップガイドの竿先側への移動を阻止する受止具とで構成されている請求項1記載の釣り竿。
【発明の詳細な説明】
【技術分野】
【０００１】
本発明は、穂先竿の先端にトップガイドを装着している釣り竿に関する。
【背景技術】
【０００２】
トップガイドはステンレスやチタン等の金属材料で形成されている。また、そのトップガイドを取り付ける穂先竿は、炭素繊維等の強化繊維群にエポキシ等の熱硬化性樹脂を含浸して形成したプリプレグシートを芯金に巻回した状態で焼成して構成されている（特許文献１参照）。
したがって、仕掛けを巻上げ過ぎた場合や、仕掛けが根掛かりした場合にそれを解消しようとして糸を強く引張過ぎて切断した場合に、錘や浮き等がトップガイドに衝突することがあり、この場合には、トップガイドが破損したり穂先竿が損傷する虞があった。
そこで、従来は、穂先竿の先端にコイルスプリング等を装着するとともに、コイルスプリングをトップガイド内に位置させた状態で、コイルスプリングをトップガイドに仕掛け等が衝突した場合の干渉機構として機能させるものがあった（特許文献２）
【０００３】
【特許文献１】特開２００４−７３０４７号公報（公報段落番号〔００１３〕、〔００１５〕図２〜図５）
【特許文献２】特開２００３−１７４８３６号公報（公報段落番号〔００１４〕、図２〜図６）
【発明の開示】
【発明が解決しようとする課題】
【０００４】
上記した構成においては、トップガイドは筒状の基端本体部の一部を穂先竿の竿先端部に外嵌させて支持するとともに、基端本体部の大部分を穂先竿の竿先端より突出させて設け、その突出した基端本体部内にコイルスプリングを収納して、コイルスプリングで基端本体部を支持する構成を採っている。
したがって、トップガイドの支持状態が安定したものとならず、釣糸が強く下向きに引張られた場合にトップガイドを下向きに引き操作することとなり、コイルスプリングのみでは持ちこたえられず、トップガイドの姿勢が不安定になるといった虞があった。
【０００５】
本発明の目的は、穂先竿の損傷を抑制しながら、トップガイドの姿勢を安定なものとすることのできる釣り竿を提供する点にある。
【課題を解決するための手段】
【０００６】
〔構成〕
請求項１に係る発明の特徴構成は、トップガイドを穂先竿に、その穂先竿の軸線に沿った方向にスライド移動自在に装着し、前記トップガイドを、釣糸をガイドする作用位置に維持させるとともに、前記トップガイドが前記作用位置に維持する保持力より大きな荷重を受けた場合に竿元側に移動退避させることを許容する位置決め機構を、前記穂先竿の外周面と前記トップガイドの内周面とに亘って形成し、前記トップガイドを作用位置に位置させた状態で、そのトップガイドの糸挿通孔を前記穂先竿の竿軸線に沿った方向で竿先端に一致する位置又は竿先端の近傍位置に設けてある点にあり、その作用効果は次の通りである。
【０００７】
〔作用〕
通常の釣り操作時においては、位置決め機構によってトップガイドは作用位置に位置する。作用位置に位置するトップガイドに仕掛け等が衝突して位置保持力よりも大きな力がトップガイドに作用した場合には、トップガイドが作用位置より竿元側に移動する。これによって、トップガイド自体に作用する衝撃力を緩和し、穂先竿に衝撃の影響が及ぶのを抑制する。
しかも、位置決め機構をトップガイドの内周面と穂先竿の外周面との間に位置させ、かつ、前記トップガイドを作用位置に位置させた状態で、そのトップガイドの糸挿通孔を前記穂先竿の竿軸線に沿った方向で竿先端に一致する位置又は竿先端の近傍位置に設けてあるので、糸挿通孔の位置を穂先竿の竿先端より大きく突出させることがないので、糸挿通孔の部分を穂先竿の竿先端より大きく突出させている従来構成に比べて、トップガイドの支持状態は安定したものにできる。
【０００８】
〔効果〕
したがって、糸の引張力を受けても、トップガイドの姿勢が安定しており、釣操作が円滑に行えるとともに、トップガイド及び穂先竿の損傷を回避できる効果を維持できることとなった。
【０００９】
〔構成〕
請求項２に係る発明の特徴構成は、前記位置決め機構が、前記トップガイドの内周面又は前記穂先竿の外周面に形成した環状溝に装着したＯリングである点にあり、その作用効果は次の通りである。
【００１０】
〔作用効果〕
位置決め機構として、Ｏリングを採用しているので、次ぎのような作用効果を奏する。つまり、Ｏリングは、トップガイドの内周面又は穂先竿の外周面に取付けられた状態で、相手側となる穂先竿の外周面又はトップガイドの内周面に圧接して接触抵抗を施す。これによって、通常の釣り操作においては、トップガイドは作用位置に位置保持される。作用位置に位置するトップガイドに仕掛け等が衝突して、前記した接触抵抗を越える大きな力がトップガイドに作用した場合には、トップガイドが作用位置より竿元側に移動する。これによって、トップガイド自体に作用する衝撃力を緩和し、穂先竿に衝撃の影響が及ぶのを抑制する。
つまり、比較的簡単な構造であるＯリングを穂先竿か又はトップガイドに取り付ける簡単な構成によって、位置決め機構を構成でき、穂先竿として重量増を来たさない有用な機構を提供できるに至った。
【００１１】
〔構成〕
請求項３に係る発明の特徴構成は、前記位置決め機構が、前記トップガイドの内周面又は前記穂先竿の外周面に形成され、相手側となる前記穂先竿の外周面又は前記トップガイドの内周面に圧接する突部である点にあり、その作用効果は次の通りである。
【００１２】
〔作用効果〕
位置決め機構として、突部を採用しているので、次ぎのような作用効果を奏する。つまり、突部は、トップガイドの内周面又は穂先竿の外周面に一体的に形成され、相手側となる穂先竿の外周面又はトップガイドの内周面に圧接して接触抵抗を施す。これによって、通常の釣り操作においては、トップガイドは作用位置に位置保持される。作用位置に位置するトップガイドに仕掛け等が衝突して、前記した接触抵抗を越える大きな力がトップガイドに作用した場合には、トップガイドが作用位置より竿元側に移動する。これによって、トップガイド自体に作用する衝撃力を緩和し、穂先竿に衝撃の影響が及ぶのを抑制する。
つまり、比較的簡単な構造である突部を穂先竿か又はトップガイドに一体的に形成するだけで、位置決め機構を構成できるとともに、穂先竿やトップガイドとは異なる専用の部品を必要としないので、構成も簡単なもので済む。
【００１３】
〔構成〕
請求項４に係る発明の特徴構成は、前記位置決め機構が、前記トップガイドの内周面と前記穂先竿の外周面との間に介在され前記トップガイドを前記作用位置に付勢する付勢手段と、前記トップガイドの竿先側への移動を阻止する受止具とで構成されている点にあり、その作用効果は次の通りである。
【００１４】
〔作用効果〕
位置決め機構として、付勢手段と受止具とで構成しているので、次ぎのような作用効果を奏する。付勢手段によってトップガイドは受止具に向けて付勢され、その受止具に受け止められた状態で作用位置に位置保持される。作用位置に位置するトップガイドに仕掛け等が衝突して、前記した付勢手段の付勢力を越える大きな力がトップガイドに作用した場合には、トップガイドが作用位置より竿元側に移動する。これによって、トップガイド自体に作用する衝撃力を緩和し、穂先竿に衝撃の影響が及ぶのを抑制する。衝撃力が解除されれば、トップガイドは作用位置に復帰する。
そして、付勢手段の付勢力を変更することによって、トップガイドが退避する衝撃力を変更することができ、穂先竿の強度に対応させた付勢手段を選択できる。
【発明を実施するための最良の形態】
【００１５】
〔第1実施形態〕
穂先竿２の先端にトップガイド１を取り付ける構成について説明する。穂先竿２としては、中実棒状の竿体に形成する。中実棒状の竿体の製造は次ぎのように行われる。つまり、炭素繊維等の強化繊維群を束にしてその強化繊維群を、熱硬化性樹脂を貯留したタンク内を潜らせて、炭素繊維群に熱硬化性樹脂を含浸させたものを、ダイス等の絞り型を通して棒状体に引き出し、引き出した棒状体を所定長さに裁断し、その裁断した棒状体の外周面を円錐台状を呈するように研磨加工を施して構成する。
【００１６】
トップガイド１について説明する。図１に示すように、トップガイド１は、筒状の基端本体部１Ａと、基端本体部１Ａから立設される支持フレーム１Ｂと、支持フレーム1Ｂに設けられている釣糸ガイド孔1Ｃとで構成してある。
上記したトップガイド１は、基端本体部１Ａ、支持フレーム１Ｂを同一材料で形成されるもので、材料としては、ステンレス、又は、チタン等の金属が使用される。
【００１７】
図１に示すように、筒状の基端本体部１Ａの竿先端から斜め下方に支持フレーム1Ｂが延出されるとともに、その支持フレーム１Ｂにセラミック製のリングを有する糸挿通孔１Ｃが設けてある。このような構成によって、糸挿通孔１Ｃの位置が穂先竿２の竿先端に対して、前記穂先竿の竿軸線に沿った方向で竿先端に一致する位置又は竿先端の近傍位置に設けてあることになる。
そうすると、基端本体部１Ａの竿先端が穂先竿２の竿先端より突出することとはならないので、トップガイド１の穂先竿２への支持状態が安定する。
【００１８】
図１に示すように、トップガイド１の基端本体部１Ａの内周面に、肉厚内に凹入する環状溝１ａを形成するとともに、穂先竿２の外周面に、軸芯に向けて凹入する環状溝２ａを形成する。この環状溝２ａにＯリング３を嵌着して、トップガイド１を穂先竿２に外嵌すると、トップガイド１側の環状溝１ａ部分がＯリング３に被さってトップガイド１が位置決めされる。この状態がトップガイド１を、釣糸をガイドする作用位置に位置させた状態である。
ここに、Ｏリング３と環状溝１ａ、２ａとで、トップガイド１の位置決め機構Ａを構成する。
【００１９】
上記したように、位置決め機構Ａによって位置決めされたトップガイド１に、仕掛け４等が接触した場合には、Ｏリング３の環状溝１ａ，２ａへの係合力によってその接触力を受け止めることができる。しかし、仕掛け４等が衝突した場合には、Ｏリング３の係合力だけではトップガイド１を位置保持できず、図１(ロ)に示すように、トップガイド１はＯリング３を乗り越えて竿元側に移動する。
【００２０】
このように、トップガイド１が竿元側に移動することによって、トップガイド１に作用した衝突力が緩和されて、トップガイド１や穂先竿２が衝撃力を受けて損傷することを未然に回避できる。
なお、穂先竿２は竿元側に向けて外径を徐々に拡大させるテーパ面を呈しているので、トップガイド１は基端本体部１Ａの内径と一致した位置でスライド移動を停止する。
したがって、トップガイド１に衝突した仕掛け３を取り除いた状態では、図1(イ)に示すように、トップガイド１を元の作用位置に戻して、衝突前の状態で使用可能である。
【００２１】
〔第２実施形態〕
ここでは、位置決め機構Ａとして、Ｏリング３の代わりに、穂先竿２の外周面に環状の突部２Ａを形成する一方、トップガイド１の基端本体部１Ａの内周面に突部２Ａに係合する係合溝１ｂを形成する。
図２に示すように、このような構成によって、トップガイド１を穂先竿２に外嵌装着した場合に穂先竿２の突部２Ａとトップガイド１の係合溝１ｂとが係合して、トップガイド１を作用位置に位置設定する。
突部２Ａは穂先竿２の外周面に一体形成されたものであるので、弾性変形する度合いは少ない面があるが、トップガイド１自体が筒状に構成されているので、突部２Ａに比べてトップガイド１の基端本体部１Ａが拡縮径する度合いが大きく、トップガイド１は突部２Ａを乗り越えて係合する。
【００２２】
上記した位置設定した状態でトップガイド１に衝撃力が作用した場合には、突部２Ａと係合溝１ｂとの係合状態を解除してトップガイド１が竿元側に移動する。
このようにトップガイド１が移動することによって、トップガイド自体及び穂先竿２への衝撃力が及ばないようにできる。
ここに、穂先竿２に形成した突部２Ａとトップガイド１に形成した係合溝１ｂとで位置決め機構Ａを構成する。突部２Ａと係合溝１ｂとの形成対象を入れ替えて構成してもよい。つまり、突部をトップガイド１の内周面に形成し、係合溝を穂先竿２の外周面に形成してもよい。
突部２Ａの断面形状としては、半円状又は山形状のものであればよい。係合溝１ｂとしては、突部２Ａの断面形状に適合した断面形状を選択する。
【００２３】
〔第３実施形態〕
ここでは、位置決め機構Ａとして圧縮式のコイルスプリング５を採用する状態について説明する。図３に示すように、トップガイド１の基端本体部１Ａに、コイルスプリング５を収納する収納空間とその収納空間の竿先側に鍔部１ｃを形成して、収納したコイルスプリング５の一端を受止める構成を採っている。
【００２４】
一方、穂先竿２の竿先端部には、軸線方向に沿って二箇所に受止具としての軸用止め輪６Ａ、６Ａを装着すべく止め輪用溝が形成してあり、竿元側の軸用止め輪６Ａでトップガイド１に収納したコイルスプリング５の竿元側端を受け止めるとともに、竿先側の軸用止め輪６Ａで、コイルスプリング５によって竿先側に付勢されているトップガイド１を受止める構成を採っている。
ここに、コイルスプリング５と軸用止め輪６Ａ、６Ａとで位置決め機構Ａを構成してある。
【００２５】
〔第４実施形態〕
第３実施形態において、図示してはいないが、コイルスプリング５に代えて、筒状のゴム体を設けてもよい。つまり、トップガイド１の基端本体部１Ａの収納空間に、筒状のゴム体を収納するとともに、穂先竿２の竿先端部には、軸線方向に沿って二箇所に軸用止め輪６Ａ、６Ａを装着すべく止め輪用溝を形成する。
【００２６】
このような構成によって、竿元側の軸用止め輪６Ｂでトップガイド１に収納した筒状のゴム体の竿元側端を受け止めるとともに、竿先側の軸用止め輪６Ａで、筒状のゴム体によって竿先側に付勢されているトップガイド１を受止める構成を採っている。
ここに、筒状のゴム体と軸用止め輪６Ａ、６Ａとで位置決め機構Ａを構成してある。
【００２７】
〔第５実施形態〕
ここでは、スプリング・ボールを利用した位置決め機構Ａについて説明する。図４に示すように、穂先竿２に半円形の周溝２Ｂを形成するとともに、トップガイド１の基端本体部１Ａに保持部１ｄを設け、保持部１ｄにボール７とこのボール７を突出付勢するスプリング８とを収納してある。
【００２８】
以上のような構成によって、トップガイド１を穂先竿２の竿先端に外嵌装着する状態で、保持部１ｄの開口より僅かに突出したボール７が穂先竿２の周溝２Ｂに係合することによって、トップガイド１が作用状態に設定される。
【００２９】
トップガイド１を作用状態に設定した状態で、仕掛け４がトップガイド１に衝突した場合に、トップガイド１がボール７との係合を解除して竿元側に移動し、トップガイド自体及び穂先竿２に衝撃荷重が作用することを阻止する。
ここでは、スプリングボールをトップガイド１内に設け、ボール７に係合する周溝２Ｂを穂先竿２の内周面に設けたが、取付け対象を入れ替えて、スプリングボールを穂先竿２に設け、トップガイド１の内周面に周溝を設けてもよい。
【００３０】
〔別の実施形態〕
（１）  トップガイド１を装着する穂先竿２としては、中実棒状の竿体を示したが、中空状の竿体に適用してもよい。
（２）  前記した二つの軸用止め輪６Ａ、６Ａのうちの穂先竿２の中間位置に装着される軸用止め輪６Ａの代わりに突部を一体形成してもよい。
【図面の簡単な説明】
【００３１】
【図１】位置決め機構としてＯリングを採用したものを示し、（イ）はトップガイドを作用位置に位置させた状態を示す縦断側面図、（ロ）はトップガイドが竿元側に退避した状態を示す縦断側面図
【図２】位置決め機構として突部を採用したものを示し、トップガイドを作用位置に位置させた状態を示す縦断側面図
【図３】位置決め機構としてコイルスプリングを採用したものを示し、トップガイドを作用位置に位置させた状態を示す縦断側面図
【図４】位置決め機構としてスプリングボールを採用したものを示し、トップガイドを作用位置に位置させた状態を示す縦断側面図
【符号の説明】
【００３２】
１            トップガイド
１Ｃ          糸挿通孔
１ａ          環状溝
２            穂先竿
２Ａ          突部
３            Ｏリング
５            コイルスプリング（付勢手段）
６Ａ          軸用止め輪（受止具）
Ａ            位置決め機構
【図１】
2007289104.tif 000003
【図２】
2007289104.tif 000004
【図３】
2007289104.tif 000005
【図４】
2007289104.tif 000006